(57)【特許請求の範囲】
【請求項１】
架空の光ファイバケーブルから取り出された光ファイバを分岐接続すべく収納するクロージャ本体と、このクロージャ本体の中心軸を通る鉛直線のクロージャ軸線上に位置して前記クロージャ本体を架空支持する支持棒と、この支持棒の両端側に前記光ファイバケーブルをクランプ・アンクランプすべく前記クロージャ本体の内部に設けたケーブルクランプ部材と、前記各ケーブルクランプ部材の外側に位置して前記光ファイバケーブルを水密的に導入すべく前記クロージャ本体の両端面に設けたケーブル導入部と、を備えた光クロージャにおいて、
前記ケーブルクランプ部材は、前記支持棒の両端側に固定されたクランプベース部材と、異なるケーブル径の光ファイバケーブルをほぼ前記クロージャ軸線上に位置して前記クランプベース部材とで挟み込んでクランプ・アンクランプ自在に設けたクランプ可動部材で構成され、
前記ケーブル導入部には、前記クランプベース部材とクランプ可動部材でクランプされた前記光ファイバケーブルの径が変化したことで、ケーブル軸心が前記クロージャ軸線上から動いた場合に想定されるケーブル通過位置とケーブル径の変化に対応して前記光ファイバケーブルを水密的に挿通可能な大きさのケーブル挿通穴を有するケーブル導入端面部材が設けられており、
前記ケーブル導入端面部材は、弾力性を有するリング状の端面シールと、この端面シールを保持して前記クロージャ本体に装着されるリング状の端面シール保持部と、で構成され、
前記端面シールと前記端面シール保持部とは、それぞれ対応した半割形状であり、半割の前記端面シールを重ね合わせることで、半割の前記端面シールの重ね合わせ面に前記ケーブル挿通穴と支持棒用挿通穴とが形成され、
前記ケーブル導入端面部材は、前記ケーブル挿通穴を前記光ファイバケーブルの外周に密着させた状態で変化する前記ケーブル通過位置に対応して移動させるために、前記支持棒を中心として前記支持棒の周りに水密的に移動可能であることを特徴とする光クロージャ。
【請求項２】
前記ケーブル導入端面部材は、変化する前記ケーブル通過位置に対応して前記ケーブル導入部で、前記ケーブルの軸心が前記端面シールの半割面上に位置するように移動可能であることを特徴とする請求項１記載の光クロージャ。
【請求項３】
前記ケーブル導入端面部材は、前記クロージャ軸線上から動いたケーブル軸心と、前記ケーブル挿通穴の中心とが一致するように移動可能であることを特徴とする請求項１又は２記載の光クロージャ。
【請求項４】
前記クランプベース部材と前記クランプ可動部材は、それぞれ互いに対応する位置に前記光ファイバケーブルをクランプするクランプ面を有すると共に、前記各クランプ面が標準的な径の光ファイバケーブルから想定される最大径と最小径の光ファイバケーブルを収納できる程度の曲率半径を持った略断面半円形の湾曲凹部であることを特徴とする請求項１、２又は３記載の光クロージャ。
【発明の詳細な説明】
【技術分野】
【０００１】
この発明は、光クロージャに関し、特に架空の光ファイバケーブル（以下、単に「光ケーブル」という）から分岐接続される光ファイバを収納すると共に異なる径の光ケーブルに対応可能な光クロージャに関する。
【背景技術】
【０００２】
従来、布設が完了した光ケーブルの途中から光線路を分岐する、所謂、中間後分岐作業においては、中間後分岐位置に光ケーブルを引き寄せて湾曲させ、この光ケーブルから光ファイバを引き出す作業が必要となる。この中間後分岐した光ケーブルの光ファイバを収納するために光クロージャが用いられている。
【０００３】
一般に、従来の光クロージャは、架空の光ケーブルから取り出された光ファイバを分岐接続すべく収納するためのクロージャ本体が設けられており、前記クロージャ本体を架空支持する支持棒がクロージャ本体の中心軸を通る鉛直線のクロージャ軸線上に位置している。前記支持棒の両端側にはクロージャ本体の内部に導入される光ケーブルをクランプするケーブルクランプ部材が前記クロージャ本体の内部に設けられている。また、前記クロージャ本体の両端面には、前記各ケーブルクランプ部材の外側に位置して前記光ケーブルを水密的に導入するケーブル導入部が設けられている。
【０００４】
このとき、光ケーブルの軸心がクロージャ軸線上に位置するように構造設計されており、これに対応して前記ケーブルクランプ部材と前記ケーブル導入部の構造も、クロージャ軸線上に位置するように構造設計されている。
【０００５】
また、従来の光クロージャ及びこれに類するものとしての例えば特許文献１の光ケーブル用接続端子函では、光ケーブルは端子函本体の長手方向の両端部に設けた固定金具でクランプされている。また、端子函本体の長手方向の両端面板には光ケーブルを挿入可能な導入口が３箇所、開口されている。これらのケーブル導入口は長穴状に形成されており、光ケーブルの延在方向に対する垂直平面上にある互いに平行な複数の配列軸線上に、これら配列軸線の延在方向に互いに隣接同士を異なる配列軸線として分散配置している。さらに、端面板の外側には、光ケーブルを端面板に対して安定に装着し、かつ端子函本体内への水の浸入を防止するための防水カバーが装着される。この防水カバーにも、端面板に対応する３箇所に光ケーブルの挿通口が開口されている。
【０００６】
特許文献２の光クロージャでは、光ケーブルに沿って延在配置された細長形状の連結棒と、この連結棒の長手方向の両端部に対向配置され、それぞれ前記光ケーブルを把持固定する把持部品とを備えている。さらには、光ケーブルの後分岐作業を簡便に行うために、前記連結棒の長手方向の一方あるいは両方の把持部品をヒンジ機構を介して前記連結棒に対して連結棒に取り付けた把持部品を回動することにより、対向する把持部品の間にて光ケーブルを湾曲できるようにしている。また、前記把持部品は、連結棒から連続的に配置された板状の端部板と、この端部板上に立設状態に固定されたＩ字状の台部と、この台部に螺着された把持部品本体とを具備している。前記台部の内側に挿通した光ケーブルは一対の把持部品本体により両側から把持固定される構成である。
【０００７】
特許文献３のケーブル導入穴封止構造は、ケーブル接続箱等に形成されたケーブル導入穴内面と該ケーブル導入穴に挿入したケーブルの外周面との間を水密に封止するための構造である。
【０００８】
すなわち、ケーブル導入穴封止部材は、光ケーブルが内挿される内挿穴を中央部に有する支持弾性体を有し、該支持弾性体に比して軟質の弾性体からなる変形層が、支持弾性体のケーブル導入穴の内面に臨む外周面及び内挿穴の内面に形成されている。また、光ケーブルを内挿穴に挿入するためのスリットが内挿穴の内外に連通しており、前記スリットの変形層を分断する部分をこれら変形層のケーブル導入穴や内挿面に臨む面に対して垂直以外の角度を傾斜させている。
【０００９】
したがって、光ケーブルがスリットを経て内挿穴に挿入されてから、ケーブル導入穴封止部材をケーブル接続箱等に形成されたケーブル導入穴内面に装着すると、ケーブル導入穴と光ケーブルとの間に嵌合状態となった際に生じる圧縮力でスリットが閉塞する。その結果、内挿穴に臨む変形層が光ケーブルの外周面に隙間無く密着し、支持弾性体の外周面にある変形層がケーブル導入穴に隙間無く密着することで、封止の信頼性が向上する。
【特許文献１】特開平８−２４０７２３号公報
【特許文献２】特開平１１−２９５５７５号公報
【特許文献３】特開平９−６５５４８号公報
【発明の開示】
【発明が解決しようとする課題】
【００１０】
ところで、従来の一般的な光クロージャにおいては、光クロージャに挿通される光ケーブルの径が想定寸法以上に変化すると、光ケーブルの軸心がクロージャ軸線と大きく離れて（ずれて）しまうために、ケーブル導入部における把持力不足やシール不完全（水密性が不十分）という問題点が起きる。そのために、光ケーブルの後分岐工程のように異なる径の光ケーブルの工事を対象とする場合は、複数個の光クロージャを準備する必要があるので、工事時間がかかると共にコストアップとなるという問題点があった。
【００１１】
また、特許文献１の光ケーブル用接続端子函では、端子函本体のコンパクト化を図ることを目的としており、端子函本体の長手方向の両端部のケーブル導入口並びに防水カバーは、ケーブル径の異なる光ケーブルに対応できるようには考慮されていない。したがって、光ケーブルの径が想定寸法以上に変化すると、ケーブル軸心が端子函本体の軸線と大きく離れてしまうために、防水カバーの把持力不足やシール不完全が生じるという問題点があった。
【００１２】
特許文献２の光クロージャでは、対向する把持部品の間にて光ケーブルを湾曲できるようにすることで、光ケーブルの後分岐作業を簡便に行うことを目的としており、クロージャスリーブ（クロージャ本体に該当）の長手方向の両端部において光ケーブルを光クロージャの内部へ導入する際の水密構造は記載されていない。
【００１３】
特許文献３のケーブル導入穴封止構造では、ケーブル接続箱等に形成されたケーブル導入穴と光ケーブルの間の封止の信頼性が向上するが、ケーブル径の異なる光ケーブルに対しては、その都度、ケーブル径に合わせたケーブル導入穴封止部材を用意する必要がある。しかも、ケーブル接続箱等の内部で把持される光ケーブルの軸心が、ケーブル接続箱の軸線と大きく離れてしまう場合は、ケーブル導入穴封止部材の内挿穴の中心位置と大きくずれてしまうために、光ケーブルが局部的に曲がってしまうので光ケーブル内の光ファイバに良くない影響を与えるという問題点があった。
【００１４】
この発明は、光ケーブル後分岐工程のように導入される光ケーブルの径が変動しても、その変動を吸収して水密的に良好な状態で装着することができる光クロージャを提供することを目的とする。
【課題を解決するための手段】
【００１５】
上記の課題を解決するために、この発明の光クロージャは、架空の光ファイバケーブルから取り出された光ファイバを分岐接続すべく収納するクロージャ本体と、このクロージャ本体の中心軸を通る鉛直線のクロージャ軸線上に位置して前記クロージャ本体を架空支持する支持棒と、この支持棒の両端側に前記光ファイバケーブルをクランプ・アンクランプすべく前記クロージャ本体の内部に設けたケーブルクランプ部材と、前記各ケーブルクランプ部材の外側に位置して前記光ファイバケーブルを水密的に導入すべく前記クロージャ本体の両端面に設けたケーブル導入部と、を備えた光クロージャにおいて、
前記ケーブルクランプ部材は、前記支持棒の両端側に固定されたクランプベース部材と、異なるケーブル径の光ファイバケーブルをほぼ前記クロージャ軸線上に位置して前記クランプベース部材とで挟み込んでクランプ・アンクランプ自在に設けたクランプ可動部材で構成され、
前記ケーブル導入部には、前記クランプベース部材とクランプ可動部材でクランプされた前記光ファイバケーブルの径が変化したことで、ケーブル軸心が前記クロージャ軸線上から動いた場合に想定されるケーブル通過位置とケーブル径の変化に対応して前記光ファイバケーブルを水密的に挿通可能な大きさのケーブル挿通穴を有するケーブル導入端面部材が設けられており、
前記ケーブル導入端面部材は、弾力性を有するリング状の端面シールと、この端面シールを保持して前記クロージャ本体に装着されるリング状の端面シール保持部と、で構成され、
前記端面シールと前記端面シール保持部とは、それぞれ対応した半割形状であり、半割の前記端面シールを重ね合わせることで、半割の前記端面シールの重ね合わせ面に前記ケーブル挿通穴と支持棒用挿通穴とが各々形成され、
前記ケーブル導入端面部材は、前記ケーブル挿通穴を前記光ファイバケーブルの外周に密着させた状態で変化する前記ケーブル通過位置に対応して移動させるために、前記支持棒を中心として前記支持棒の周りに水密的に移動可能であることを特徴とするものである。
【００１６】
また、この発明の光クロージャは、前記光クロージャにおいて、前記ケーブル導入端面部材は、変化する前記ケーブル通過位置に対応して前記ケーブル導入部で、前記ケーブルの軸心が前記端面シールの半割面上に位置するように移動可能であることが好ましい。
【００１７】
また、この発明の光クロージャは、前記光クロージャにおいて、前記ケーブル導入端面部材は、前記クロージャ軸線上から動いたケーブル軸心と、前記ケーブル挿通穴の中心とが一致するように移動可能であることが好ましい。
【００１９】
また、この発明の光クロージャは、前記光クロージャにおいて、前記クランプベース部材と前記クランプ可動部材は、それぞれ互いに対応する位置に前記光ファイバケーブルをクランプするクランプ面を有すると共に、前記各クランプ面が標準的な径の光ファイバケーブルから想定される最大径と最小径の光ファイバケーブルを収納できる程度の曲率半径を持った略断面半円形の湾曲凹部であることが好ましい。
【発明の効果】
【００２０】
以上のごとき課題を解決するための手段から理解されるように、この発明によれば、想定範囲内の光ファイバケーブルの径の変動に対応できるケーブルクランプ部材とケーブル導入端面部材の構造により、多少の光ファイバケーブルの径変動を吸収することができるため、光ファイバケーブルの後分岐工程のように異なる径の光ファイバケーブルの工事を対象とする場合には、複数個の光クロージャを準備しなくて良いので、工事時間を短縮することができ、工事費用を抑えることができる。
【００２１】
また、ケーブルクランプ部材では、クランプベース部材が支持棒と一体的な構造とされ、クランプ可動部材が光ファイバケーブルをクランプベース部材と挟み込んでクランプ・アンクランプ自在に設けたので、異なるケーブル径の光ファイバケーブルはクランプベース部材を基準としてほぼ一定位置に定めることができる。その結果、柔軟性を有するケーブル挿通穴は上記の異なるケーブル径の光ファイバケーブルの範囲を含むように位置決めすることで、上述した効果を奏することが可能となる。
【発明を実施するための最良の形態】
【００２２】
以下、この発明の実施の形態について図面を参照して説明する。
【００２３】
図１、図２及び図３を参照するに、この実施の形態に係る光クロージャ１は、架空の光ファイバケーブル３（以下、単に「光ケーブル３」という）から取り出された光ファイバを分岐接続すべく収納するためのクロージャ本体５が設けられており、前記クロージャ本体５を架空支持する支持棒７がクロージャ本体５の中心軸を通る鉛直線のクロージャ軸線ＣＬの上に位置している。
【００２４】
なお、この実施の形態では、クロージャ本体５は樹脂製からなり、内部がほぼ空洞の収納ケーシングの構造であり、上記のクロージャ軸線ＣＬの上とほぼ同じ位置で分離される半割構造となっている。すなわち、詳しくは後述するが、上記の支持棒７に一体的に吊り下げられる収納ケース支持フレーム９や、この収納ケース支持フレーム９に装着される複数の収納ケース１１などを全体的に保護し、かつ防水すべく水密的に収納するカバー構造となっている。なお、支持棒７の両端側はクロージャ本体５の長手方向の両端面の外側に突出する。
【００２５】
また、クロージャ本体５の長手方向の両端面から突出した支持棒７の両端には、架空の支持線１３（ワイヤ）に吊り下げるための吊り金具１５が設けられている。なお、吊り金具１５で支持線１３を把持する位置は、図３に示されているように、支持線１３の中心がクロージャ軸線ＣＬの上にほぼ位置する構成である。
【００２６】
さらに、前記支持棒７の長手方向のほぼ中央部には、図２に示されているように、収納ケース支持フレーム９が一体的に吊り下げられた状態で固定されており、光ケーブル３から取り出されて分岐接続した光ファイバを収納するための収納ケース１１が複数個、この実施の形態では６個の収納ケース１１が前記収納ケース支持フレーム９のほぼ中央部に装着されている。
【００２７】
また、前記支持棒７の両端側には、クロージャ本体５の内部に導入される光ケーブル３をクランプ・アンクランプするケーブルクランプ部材１７が前記クロージャ本体５の内部に設けられている。
【００２８】
図４を併せて参照するに、前記ケーブルクランプ部材１７は、前記支持棒７の両端側に固定されたクランプベース部材１９と、このクランプベース部材１９とで異なる径の光ケーブル３を挟み込んでクランプ・アンクランプ自在に設けたクランプ可動部材２１と、で構成される。なお、クランプベース部材１９の上端側はボルト２３により支持棒７に一体的に固定されており、クランプベース部材１９の下端側は収納ケース支持フレーム９にクランプ爪２４により一体的に固定されている。したがって、クランプベース部材１９は支持棒７と収納ケース支持フレーム９と一体構造である。
【００２９】
図５及び図６を併せて参照するに、前記ケーブルクランプ部材１７は、クロージャ本体５の内部に導入される光ケーブル３をほぼクロージャ軸線ＣＬの上に位置してクランプする構成である。すなわち、前記クランプベース部材１９とクランプ可動部材２１は、それぞれ互いに対応する位置に前記光ケーブル３をクランプするクランプ面を有している。前記各クランプ面は、標準的な径ＤＳの光ケーブル３Ｂから想定される最小径ＤＭＩＮの光ケーブル３Ａと最大径ＤＭＡＸの光ケーブル３Ｃを収納できる程度の曲率半径を持った断面半円形の湾曲凹部２５、２７であり、これらの湾曲凹部２５、２７でクランプされる標準的な径の光ケーブル３Ｂがクロージャ軸線ＣＬの上に位置するように構成されている。なお、前記各クランプ面には、図５に示されているように、光ケーブル３を確実にクランプするために複数の突起部２９が設けられている。
【００３０】
また、クランプ可動部材２１は、異なる径の光ケーブル３をクランプベース部材１９に対して接近離反自在に挟み込めるように、クランプベース部材１９に設けたネジ穴３１に螺合する２本のボルト３３で締め付けられる構成である。しかも、クランプ可動部材２１には２本のボルト３３が挿通する２つの穴部３５のうちの一方には外周に連通する切欠き部３７が設けられている。したがって、２本のボルト３３をネジ穴３１から外すことなく軽く緩めるだけで、図４の二点鎖線に示されているように切欠き部３７を通過するようにクランプ可動部材２１を回動し、クランプ可動部材２１の一端側をボルト３３から外すことができる。したがって、異なる径の光ケーブル３を容易に着脱可能となる。
【００３１】
この実施の形態では、異なる径の光ケーブル３として想定される最小径ＤＭＩＮと最大径ＤＭＡＸの範囲は、直径が８〜１５ｍｍであるので、標準的なケーブル径ＤＳは１１．５ｍｍである。図６では、最小径ＤＭＩＮと標準径ＤＳと最大径ＤＭＡＸの３つの光ケーブル３Ａ、３Ｂ、３Ｃを示しており、標準径ＤＳの光ケーブル３Ｂの軸心Ｆがクロージャ軸線ＣＬの上に位置してクランプされる構成となっている。したがって、最小径ＤＭＩＮの光ケーブル３Ａの軸心Ｅはクロージャ軸線ＣＬに対して図６において右側にずれることになり、一方、最大径ＤＭＡＸの光ケーブル３Ｃの軸心Ｇはクロージャ軸線ＣＬに対して図６において左側にずれることになる。
【００３２】
また、前記クロージャ本体５の両端面には、図１に示されているように、前記各ケーブルクランプ部材１７の外側に位置して前記光ケーブル３を水密的に導入するケーブル導入部３９が設けられている。
【００３３】
前記ケーブル導入部３９は、前記クランプベース部材１９の湾曲凹部２５とクランプ可動部材２１の湾曲凹部２７でクランプされた前記光ケーブル３の径が変化したことで、ケーブル軸心がクロージャ軸線ＣＬの上から動いた場合に想定されるケーブル通過位置とケーブル径の変化に対応して前記光ケーブル３を水密的に挿通可能な大きさのケーブル挿通穴４１を有するケーブル導入端面部材４３で構成されている。
【００３４】
図２及び図７を併せて参照するに、この実施の形態では、ケーブル導入端面部材４３は、弾力性を有するリング状の端面シール４５と、この端面シール４５を保持して前記クロージャ本体５に装着されるリング状の端面シール保持部４７と、で構成される。なお、端面シール４５には、前記ケーブル挿通穴４１と、支持棒７を挿通可能な支持棒用挿通穴４９が備えられている。このとき、前記ケーブル挿通穴４１はケーブル径が異なる多種の光ケーブル３の場合に対応して光ケーブル３の軸心が移動しても、光ケーブル３の挿通を妨げない程度の柔軟性を有する大径に構成されている。
【００３５】
より具体的には、上記の端面シール４５と端面シール保持部４７は、それぞれ互いに対応する半割形状となっており、半割の端面シール４５Ａ、４５Ｂが半割の端面シール保持部４７Ａ、４７Ｂの溝部５１に嵌合して一体的に装着されている。この半割の端面シール付きの半割の端面シール保持部４７Ａ、４７Ｂを重ね合わせることで、半割の端面シール４５Ａ、４５Ｂの重ね合わせ面に前記ケーブル挿通穴４１と支持棒用挿通穴４９が形成されたケーブル導入端面部材４３となる。
【００３６】
一方、クロージャ本体５は、前述したように半割構造となっており、その長手方向の両端面のケーブル導入部３９には、図８に示されているように、上記の端面シール保持部４７を嵌入するためのシール保持部用溝部５３が形成されている。なお、端面シール保持部４７はシール保持部用溝部５３の内部で水密的に移動可能となっている。
【００３７】
したがって、半割の端面シール付きの半割の端面シール保持部４７Ａ、４７Ｂを支持棒用挿通穴４９の位置で支持棒７の両端側に挟むようにして重ね合わせてリング状のケーブル導入端面部材４３を形成すると共に、ケーブル挿通穴４１に光ケーブル３を挿通した状態で、図８に示されているように、リング状のケーブル導入端面部材４３をクロージャ本体５の両端のケーブル導入部３９のシール保持部用溝部５３に嵌入すると、支持棒７に一体構造のケーブルクランプ部材１７と収納ケース支持フレーム９並びに複数の収納ケース１１が一方の半割のクロージャ本体５に収納される状態になる。次いで、他方の半割のクロージャ本体５を重ね合わせて図示しない把持具でクランプすることで、図１に示されているように、クロージャ本体５の長手方向の両端面のケーブル導入部３９は、端面シール４５付きのケーブル導入端面部材４３で水密的にシールされた状態になる。
【００３８】
したがって、端面シール４５が柔軟性を有しているので、ケーブル挿通穴４１はケーブルクランプ部材１７でクランプされる光ケーブル３Ａ、３Ｂ、３Ｃのように異なる径の変化に応じて水密性を保持しながら大きさを変化することができる。
【００３９】
しかも、端面シール保持部４７がシール保持部用溝部５３の内部で水密的に移動可能となっているので、支持棒７に一体構造の各種部材がクロージャ本体５の内部に収納された状態において、図６に示されているように、ケーブルクランプ部材１７でクランプされた光ケーブル３Ａ、３Ｂ、３Ｃのように変化するケーブル通過位置に対応して水密状態を保持しながら図６に示されているように、ケーブル導入端面部材４３Ａ、４３Ｂ、４３Ｃの位置に移動することになる。したがって、ケーブル導入端面部材４３のケーブル挿通穴４１も光ケーブル３Ａ、３Ｂ、３Ｃの外周に密着した状態でケーブル通過位置に対応して移動することになるので、十分な水密状態を維持することができる。
【００４０】
以上のことから、想定範囲内の光ケーブル３の径の変動に対応できるケーブルクランプ部材１７とケーブル導入端面部材４３の構造により、多少の光ケーブル３の径変動を吸収することができるため、光ケーブル３の後分岐工程のように異なる径の光ケーブル３の工事を対象とする場合には、従来のように複数個の光クロージャを準備しなくて良いので、工事時間を短縮することができ、工事費用を抑えることができる。
【００４１】
また、ケーブルクランプ部材１７では、クランプベース部材１９を支持棒７と一体的な構造とし、クランプ可動部材２１をクランプベース部材１９のクランプ面に対して接近離反自在に設けたので、異なる径の光ケーブル３の範囲はクランプベース部材１９のクランプ面を基準として一定位置に位置決めすることができる。その結果、柔軟性を有するケーブル挿通穴４１は上記の異なる径の光ケーブル３の範囲を含むように位置決めすることで、上述した効果を奏することが可能となる。
【図面の簡単な説明】
【００４２】
【図１】この発明の実施の形態の光クロージャの要部断面を含む斜視図である。
【図２】図１の光クロージャで、クロージャ本体を除いた各種部材の組立状態の斜視図である。
【図３】図１の光クロージャの右端側から視た側面図である。
【図４】クランプベース部材を示す斜視図である。
【図５】クランプベース部材を分解した状態の斜視図である。
【図６】クランプベース部材の部分的な側面図である。
【図７】半割のケーブル導入端面部材の斜視図である。
【図８】クロージャ本体を開いた状態でケーブル導入端面部材を装着したケーブル導入部の付近の斜視図である。
【符号の説明】
【００４３】
１  光クロージャ
３、３Ａ、３Ｂ、３Ｃ  光ファイバケーブル
５  クロージャ本体
７  支持棒
９  収納ケース支持フレーム
１１  収納ケース
１３  支持線
１５  吊り金具
１７  ケーブルクランプ部材
１９  クランプベース部材
２１  クランプ可動部材
２３  ボルト
２４  クランプ爪
２５  湾曲凹部
２７  湾曲凹部
２９  突起部
３１  ネジ穴
３３  ボルト
３５  穴部
３７  切欠き部
３９  ケーブル導入部
４１  ケーブル挿通穴
４３、４３Ａ、４３Ｂ、４３Ｃ  ケーブル導入端面部材
４５  端面シール
４５Ａ、４５Ｂ  半割の端面シール
４７  端面シール保持部
４７Ａ、４７Ｂ  半割の端面シール保持部
４９  支持棒用挿通穴
５１  溝部
５３  シール保持部用溝部
ＣＬ  クロージャ軸線
ＤＭＩＮ  最小径（光ファイバケーブル３Ａの径）
ＤＳ  標準径（光ファイバケーブル３Ｂの径）
ＤＭＡＸ  最大径（光ファイバケーブル３Ｃの径）
【図１】
0005081687.tif 000002
【図２】
0005081687.tif 000003
【図３】
0005081687.tif 000004
【図４】
0005081687.tif 000005
【図５】
0005081687.tif 000006
【図６】
0005081687.tif 000007
【図７】
0005081687.tif 000008
【図８】
0005081687.tif 000009